(57)【要約】【課題】  所定の大きさの道具を使用するのに好適な手の大きさを測定することができる測定具を提供すること。【解決手段】  所定の大きさの道具を使用する際に好適な手の大きさとなる手形１０３、１０４、１０５を複数を表示した表示面１０２を有する測定具１００を提供することにより、この表示面１０２に表示された手形１０３、１０４、１０５に手を合わせて、手の大きさよりも大きい手形１０３、１０４、１０５の内最も小さい手形１０３、１０４、１０５を選択することで、所定の大きさの道具を使用するのに好適な手の大きさを測定することができるようになる。【選択図】    図１
2006090713.tif 000002
【特許請求の範囲】
【請求項１】
異なる大きさの手形が複数表示された表示面を備え、
前記手形の大きさは、所定の大きさの道具を使用するのに好適な手の大きさとなるようにされており、
前記表示面に表示された前記手形に手を合わせた際に、前記手の大きさよりも大きい前記手形の内最も小さい手形を選択することにより、前記所定の大きさの道具を使用するのに好適な手の大きさを測定することができるようにした測定具。
【請求項２】
一の手形の内側の領域に、前記一の手形より小さい大きさの他の手形を前記一の手形に沿って表示していることを特徴とする請求項１に記載の測定具。
【請求項３】
前記手形は、前記表示面において大きさの順に並べて表示されていることを特徴とする請求項１に記載の測定具。
【請求項４】
前記手形は、前記手形の内側の領域が凹面となるようにされていることを特徴とする請求項１乃至３の何れか一項に記載の測定具。
【請求項５】
前記手形の内側の領域は、それぞれ異なる色彩が施されていることを特徴とする請求項１乃至４の何れか一項に記載の測定具。
【請求項６】
各手形の内側の領域に施されている色彩と同一の色彩を付した識別標識が、各手形の大きさを好適な手の大きさとしている各大きさの道具にそれぞれ付されている道具群と、
請求項５に記載された測定具と、
の組み合わせ。
【発明の詳細な説明】
【技術分野】
【０００１】
本発明は、測定具に関し、特に、所定の大きさの道具を使用するのに好適な手の大きさを測定することができる測定具に関する。
【背景技術】
【０００２】
手で扱う道具、例えば、鋏、包丁、ペンチ、ドライバー等の大きさは、手の大きさに適合したものを使用するのが望ましいことはいうまでもない。
【０００３】
この点、例えば、従来においては、図９に表されている特許文献１に記載された手のサイズ測定装置７００が使用されている。
【０００４】
この手のサイズ測定装置７００は、手７１０を開いた状態で合わせることができる測定板７０１と、この測定板７０１の一端に形成されている直立板７０２と、を備え、この直立板７０２からの距離が測定板７０１の表面に目盛り７０３として描かれていることで、直立板７０２に手７１０の側縁が接触するようにして、手７１０を測定板７０１の上に添えることで、手７１０のサイズを測ることができるようにされていた。
【特許文献１】特開平１０−１８５５０１
【発明の開示】
【発明が解決しようとする課題】
【０００５】
しかしながら、このような手のサイズ測定装置７００では、手の大きさを測定することはできるが、所定の大きさの道具にあった手の大きさを測定することはできなかった。
【０００６】
そこで、本発明は、所定の大きさの道具を使用するのに好適な手の大きさを測定することができる測定具を提供することを目的とする。
【課題を解決するための手段】
【０００７】
以上の課題を解決するため、本発明は、異なる大きさの手形が複数表示された表示面を備え、前記手形の大きさは、所定の大きさの道具を使用するのに好適な手の大きさとなるようにされており、前記表示面に表示された前記手形に手を合わせた際に、前記手の大きさよりも大きい前記手形の内最も小さい手形を選択することにより、前記所定の大きさの道具を使用するのに好適な手の大きさを測定することができるようにした測定具を提供する。
【０００８】
このような測定具を提供することにより、表示面に表示された手形に手を合わせた際に、手の大きさよりも大きい手形の中から最も小さい手形を選択することで、所定の大きさの道具を使用するのに好適な手の大きさを測定することができるようになる。
【０００９】
なお、道具としては、手で扱うことが予定されているもの全てが該当するが、例えば、ピンセット、鋏、ペンチ、レンチ、ヤットコ、ドライバー、金槌等の工具の他、包丁、ナイフ、爪切り等の切断具、鉛筆、万年筆、ボールペン等の筆記用具等が含まれる。
【００１０】
また、手形の大きさについては、所定の大きさの道具を使用するのに好適な手の大きさとなるように形成するが、例えば、このような好適な手の大きさの内最大のものを手形の大きさとしておくことで、手の大きさよりも大きい手形の内最も小さい手形を選択した際に、手の大きさと道具の大きさとが常に好適となる。
【００１１】
ここで、表示面における手形の表示方法についてはどのような方法で表示してもよいが、例えば、一の手形の内側の領域に、この一の手形より小さい大きさの他の手形を一の手形に沿って表示するようにすることで、表示面の面積を少なくすることが可能となる。
【００１２】
また、種々の大きさの手形を、大きさの順、例えば、小さい手形の順や、大きな手形の順に並べて表示することも可能である。
【００１３】
なお、このように、手形を大きさの順に並べて表示する場合には、表示面の形状に合わせて、一列又は二列等任意の列に手形を並べることも可能である。
【００１４】
また、手形については、手形の内側の領域が凹面となるようにすることで、この凹面に手を挿入することにより、手の大きさよりも大きい手形の中から最も小さい手形を容易に選択することができるようになる。
【００１５】
さらに、手形の内側の領域は、それぞれ異なる色彩を施こしておくことにより、手形に手を合わせた際に、手の回りに見える色彩が施されている手形が手の大きさよりも大きい手形の中から最も小さい手形となり、容易にこのような手形を選択することが可能となる。
【００１６】
ここで、手形の内側の領域に施されている色彩と同一の色彩を付した識別標識が、各手形の大きさを好適な手の大きさとしている各大きさの道具に付されている道具群と、請求項５に記載された測定具と、を組み合わせることで、手の大きさに好適な大きさの道具を容易に見つけ出すことができるようになる。
【発明の効果】
【００１７】
以上のように、本発明に係る測定具によれば、表示面に表示されている手形に手を合わせるだけで、所定の大きさの道具を使用するのに好適な手の大きさを測定することができるようになる。
【発明を実施するための最良の形態】
【００１８】
図１は、本発明の第一の実施形態に係る測定具１００の正面図である。
【００１９】
本実施形態に係る測定具１００は、表面が表示面１０２となっている基板１０１からなり、この表示面１０２に異なる大きさの第一の手形１０３と、第二の手形１０４と、第三の手形１０５と、が表示されている。
【００２０】
基板１０１の材質は、後述する手形１０３、１０４、１０５を表示することができるものであればどのようなものであってもよく、本実施形態においては、持ち運びの便利さを考慮して紙により形成している。
【００２１】
基板１０１の大きさ・形状についても、後述する手形１０３、１０４、１０５を表示することができる大きさ・形状であればどのような大きさ・形状であってもよく、本実施形態のように矩形状の他、円形や手形の形にしてもよい。
【００２２】
基板１０１の表面に形成されている表示面１０２には、大きさの異なる第一の手形１０３と、第二の手形１０４と、第三の手形１０５と、が表示されている。
【００２３】
図１に表されているように、これらの手形１０３、１０４、１０５の中では第一の手形１０３が最も大きく、その次に第二の手形１０４が大きく、第三の手形１０５が最も小さくなるようにされている。
【００２４】
そして、第一の手形１０３の内側に第二の手形１０４を、また、第二の手形１０４の内側に第三の手形１０５を表示している。
【００２５】
なお、表示方法については特に限定されず、印刷、貼り付け、描画等任意の方法を採用することができる。
【００２６】
ここで、本実施形態においては、第一の手形１０３を実線で表し、第二の手形１０４を点線で表し、第三の手形１０５を破線で表している。
【００２７】
第一の手形１０３、第二の手形１０４及び第三の手形１０５の大きさは、図２（ペンチ１１１、１１２、１１３の正面図）に表されているように、それぞれのペンチ１１１、１１２、１１３を使用する際に、最も好適な手の大きさとなるようにされている。
【００２８】
具体的には、図２に表されているように、第一のペンチ１１１のハンドル１１１ａの長さＬ1及びその幅Ｗ1は、第二のペンチ１１２のハンドル１１２ａの長さＬ2及びその幅Ｗ2よりも大きくされており、また、第二のペンチ１１２のハンドル１１２ａの長さＬ2及びその幅Ｗ2は、第三のペンチ１１３のハンドル１１３ａの長さＬ3及びその幅Ｗ3よりも大きくされており、この最も大きい第一のペンチ１１１を扱うのに最も適した手の大きさを経験則その他適当な法則により割り出して第一の手形１０３の大きさとし、以下同様にして、第二のペンチ１１２を扱う手の大きさの最も好適な大きさを第二の手形ペンチの大きさとし、第三のペンチ１１３を扱う手の大きさの最も好適な大きさを第三の手形１０５の大きさとなるようにしている。
【００２９】
この点、本実施形態においては、第一のペンチ１１１のハンドル１１１ａの長さＬ1は１０センチメートル、その幅Ｗ1は５．０センチメートル、第二のペンチ１１２のハンドル１１２ａの長さＬ2は９．０センチメートル、その幅Ｗ2は４．５センチメートル、第三のペンチ１１３のハンドル１１３ａの長さＬ3は８．０センチメートル、その幅Ｗ3は、４．０センチメートルに形成されており、これらに対応させて、第一の手形１０３の中指の先端から親指の付け根側の手首までの長さＸ1は、１９．２センチメートルに形成されており、また、第二の手形１０４の中指の先端から親指の付け根側の手首までの長さＸ2は、１７．８センチメートルに形成されており、さらに、第三の手形１０５の中指の先端から親指の付け根側の手首までの長さＸ3は、１６．０センチメートルに形成されている。
【００３０】
また、本実施形態においては、第一の手形１０３の手の平の幅Ｙ1は、８．２センチメートルに形成されており、また、第二の手形１０４の手の平の幅Ｙ2は、７．４センチメートルに形成されており、さらに、第三の手形１０５の手の平の幅Ｙ3は、７．０センチメートルに形成されている。
【００３１】
ここで、手形１０３、１０４、１０５の大きさについては、ペンチ１１１、１１２、１１３を使用するのに好適な手の大きさの内最大の大きさとしておくことで、手の大きさよりも大きい手形１０３、１０４、１０５の内最も小さい手形１０３、１０４、１０５を選択した際に、手の大きさとペンチ１１１、１１２、１１３の大きさとが常に好適となる。
【００３２】
なお、手形１０３、１０４、１０５及びペンチ１１１、１１２、１１３のそれぞれに目印を付けておくことにより、それぞれの手形に対応した大きさのペンチ１１１、１１２、１１３を選択することができる。
【００３３】
ここで、ペンチ１１１、１１２、１１３には、それぞれゴム製のハンドルカバー１１１ｂ、１１２ｂ、１１３ｂが取り付けられており、第一のペンチ１１１のハンドルカバー１１１ｂは赤色に、第二のペンチ１１２のハンドルカバー１１２ｂは黄色に、第三のペンチ１１３のハンドルカバー１１３ｂは青色に着色することにより、それぞれ識別することができるようにされている。
【００３４】
図３は、本発明の第二の実施形態に係る測定具２００の正面図である。
【００３５】
本実施形態に係る測定具２００についても、第一の実施形態と同様に、表面が表示面２０２となっている基板２０１からなり、この表示面２０２に異なる大きさの第一の手形２０３と、第二の手形２０４と、第三の手形２０５と、が表示されている。
【００３６】
基板２０１の材質は、第一の実施形態と同様に、紙により形成されている。
【００３７】
ここで、本実施形態においては、基板２０１の表示面２０２に手形２０３、２０４、２０５を横に並べて表示しているため、第一の実施形態における基板１０１と比べて、横幅が広くなるようにされている。
【００３８】
本実施形態においても第一の実施形態と同様に、基板２０１の表面に形成されている表示面２０２には、大きさの異なる第一の手形２０３と、第二の手形２０４と、第三の手形２０５と、が表示されているが、これらが重ねて表示されている第一の実施形態とは異なり、第一の手形２０３と、第二の手形２０４と、第三の手形２０５と、が並べて表示されている。
【００３９】
なお、本実施形態における第一の手形２０３の大きさは第一の実施形態における第一の手形１０３と同じ大きさにされており、本実施形態における第二の手形２０４の大きさは第一の実施形態における第二の手形１０４と同じ大きさにされており、本実施形態における第三の手形２０５の大きさは第一の実施形態における第三の手形１０５と同じ大きさにされている。
【００４０】
従って、これらの手形２０３、２０４、２０５に手を合わせて、この手よりも大きな手形２０３、２０４、２０５の内で最も小さい手形２０３、２０４、２０５を選択することにより、選択された手形２０３、２０４、２０５に適合した大きさのペンチ１１１、１１２、１１３を選択することができるようになる。
【００４１】
図４は、本発明の第三の実施形態に係る測定具３００の斜視図である。
【００４２】
本実施形態に係る測定具３００は、表面が表示面３０２となっている基板３０１からなり、この表示面３０２に異なる大きさの第一の手形３０３と、第二の手形３０４と、第三の手形３０５と、が表示されている。
【００４３】
ここで、本実施形態における基板３０１の材質は、木製の板により形成されている。
【００４４】
基板３０１の大きさ・形状については、第一の実施形態と同様に、後述する手形３０３、３０４、３０５を表示することができる大きさ・形状であればどのような大きさ・形状であってもよく、本実施形態のように矩形状の他、円形や手形の形にしてもよい。
【００４５】
本実施形態においても、基板３０１の表面に形成されている表示面３０２には、大きさの異なる第一の手形３０３と、第二の手形３０４と、第三の手形３０５と、が表示されている。
【００４６】
なお、本実施形態における第一の手形３０３の大きさは第一の実施形態における第一の手形１０３と同じ大きさにされており、本実施形態における第二の手形３０４の大きさは第一の実施形態における第二の手形１０４と同じ大きさにされており、本実施形態における第三の手形３０５の大きさは第一の実施形態における第三の手形１０５と同じ大きさにされている。
【００４７】
ここで、本実施形態においては、第一の手形３０３、第二の手形３０４及び第三の手形３０５の大きさは、図５（ドライバー３１１、３１２、３１３の正面図）に表されているように、それぞれのドライバー３１１、３１２、３１３を使用する際に、最も好適な手の大きさとなるようにされている。
【００４８】
具体的には、第一の手形３０３、第二の手形３０４及び第三の手形３０５の大きさは、第一の実施形態と同様にされており、また、第一のドライバー３１１の長さＬ1’は２０．０センチメートル、その把手３１１ａの太さＷ1’は２．５センチメートル、第二のドライバー３１２の長さＬ2’は１８．０センチメートル、その把手３１２ａの太さＷ2’は２．０センチメートル、第三のドライバー３１３の長さＬ3’は１６．０センチメートル、その把手１１３ａの太さＷ3’は１．５センチメートルに形成されている。
【００４９】
そして、表示面３０２自体の色彩は白色とし、第一の手形３０３の内側の領域（第一の手形３０３と第二の手形３０４との間の領域）３０６は赤色に、第二の手形３０４の内側の領域（第二の手形３０４と第三の手形３０５との間の領域）３０７は黄色に、第三の手形３０５の内側の領域３０８は青色に着色されている。
【００５０】
また、図５に表されている第一のドライバー３１１の把手３１１ａについても赤色に、第二のドライバー３１２の把手３１２ａについても黄色に、第三のドライバー３１３の把手３１３ａについても青色に着色されている。
【００５１】
従って、測定具３００の表示面３０２に表されている手形３０３、３０４、３０５に手を合わせて、手の周りにはみ出している色彩と同色の把手３１１ａ、３１２ａ、３１３ａを有するドライバー３１１、３１２、３１３を選択することにより、手の大きさに好適な大きさのドライバー３１１、３１２、３１３を選択することができるようになる。
【００５２】
なお、第一の実施形態で説明したペンチ１１１、１１２、１１３についても、第一のペンチ１１１のハンドルカバー１１１ｂは赤色に、第二のペンチ１１２のハンドルカバー１１２ｂは黄色に、第三のペンチ１１３のハンドルカバー１１３ｂは青色に着色することにより、それぞれ識別することができるようにされているため、本実施形態に係る測定具３００によっても、手の大きさに好適な大きさのペンチ１１１、１１２、１１３を選択することができる。
【００５３】
図６は、本発明の第四の実施形態に係る測定具４００の斜視図である。
【００５４】
本実施形態に係る測定具４００についても、第一の実施形態と同様に、表面が表示面４０２となっている基板４０１からなり、この表示面４０２に異なる大きさの第一の手形４０３と、第二の手形４０４と、第三の手形４０５と、が表示されている。
【００５５】
基板４０１の材質は、第三の実施形態と同様に、木製の板により形成されている。
【００５６】
ここで、本実施形態においては、基板４０１の表示面４０２に手形４０３、４０４、４０５を横に並べて表示しているため、第三の実施形態における基板３０１と比べて、横幅が広くなるようにされている。
【００５７】
なお、本実施形態における第一の手形４０３の大きさは第一の実施形態における第一の手形１０３と同じ大きさにされており、本実施形態における第二の手形４０４の大きさは第一の実施形態における第二の手形１０４と同じ大きさにされており、本実施形態における第三の手形４０５の大きさは第一の実施形態における第三の手形１０５と同じ大きさにされている。
【００５８】
また、第一の手形４０３の内側の領域４０６は第三の実施形態と同様に赤色、第二の手形４０４の内側の領域４０７は第三の実施形態と同様に黄色、第三の手形４０５の内側の領域４０８は第三の実施形態と同様に青色、に着色されているため、これらの手形４０３、４０４、４０５に手を合わせて、この手よりも大きな手形４０３、４０４、４０５の内で最も小さい手形４０３、４０４、４０５の内側に着色された色彩と同じ色彩のハンドルカバー１１１ｂ、１１２ｂ、１１３ｂを有するペンチ１１１、１１２、１１３を選択することにより、手の大きさに合った大きさのペンチ１１１、１１２、１１３を選択することができ、また、その色彩と同じ色彩の把手３１１ａ、３１２ａ、３１３ａを有するドライバー３１１、３１２、３１３を選択することにより、手の大きさに好適な大きさのドライバー３１１、３１２、３１３を選択することができるようになる。
【００５９】
図７は、本発明の第五の実施形態に係る測定具５００の斜視図である。
【００６０】
本実施形態に係る測定具５００は、第一の実施形態とは異なり木材で形成された基板５０１からなり、この基板５０１の表面を表示面５０２として、この表示面５０２に異なる大きさの第一の手形５０３と、第二の手形５０４と、第三の手形５０５と、が形成されている。
【００６１】
本実施形態における基板５０１については、手形５０３、５０４、５０５を凹面として形成している関係上、第一の実施形態における基板１０１の厚さよりも大きな厚さを有するものを使用している。
【００６２】
厚さ以外の基板５０１の大きさ・形状については、第一の実施形態における基板５０１の大きさ・形状と同様に形成されている。
【００６３】
本実施形態においても、第三の実施形態と同様に、第一の手形５０３の内側の領域５０６内に第二の手形５０４が収まるように、また、第二の手形５０４の内側の領域５０７内に第三の手形５０５が収まるように形成されているが、本実施形態における手形５０３、５０４、５０５は、凹面となるように形成されている。
【００６４】
即ち、図８（図７のＸ−Ｘ線における縦断面図）に表されているように、基板５０１の表示面５０２よりも第一の手形５０３は低位の面となるように形成されており、第二の手形５０４は、第一の手形５０３よりも低位の面となるように形成されており、また、第三の手形５０５は、第二の手形５０４よりも低位の面となるように形成されている。
【００６５】
このように、第一の手形５０３、第二の手形５０４及び第三の手形５０５が、図８に表されているように、表示面５０２から段々と低い面となるように形成されていることにより、これらの手形５０３、５０４、５０５の内部に手を広げて入れた際に、手に引っかかった凹面における手形５０３、５０４、５０５が、手の大きさよりも大きい手形５０３、５０４、５０５の内で最も小さい手形５０３、５０４、５０５となり、容易にこのような最も小さい手形５０３、５０４、５０５を選択することができるようになる。
【００６６】
なお、本実施形態においても表示面５０２自体の色彩は白色とし、第一の手形５０３の内側の領域（第一の手形５０３と第二の手形５０４との間の領域）５０６は赤色に、第二の手形の内側の領域（第二の手形５０４と第三の手形５０５との間の領域）５０７は黄色に、第三の手形５０５の内側の領域５０８は青色に着色されている。
【００６７】
従って、測定具５００の表示面５０２に表されている手形５０３、５０４、５０５に手を合わせて挿入していった際に、手に引っかかった面の色彩と同色のハンドルカバー１１１ｂ、１１２ｂ、１１３ｂを有するペンチ１１１、１１２、１１３を選択することにより、手の大きさに合った大きさのペンチ１１１、１１２、１１３を選択することができ、また、その色彩と同色の把手３１１ａ、３１２ａ、３１３ａを有するドライバー３１１、３１２、３１３を選択することにより、手の大きさに好適な大きさのドライバー３１１、３１２、３１３を選択することができるようになる。
【００６８】
なお、この第五の実施形態に係る測定具５００においては、第一の手形５０３の内側の領域５０６に第二の手形５０４を形成し、この第二の手形５０４の内側の領域５０７に第三の手形５０５を形成するようにしているが、このような態様に限定されるわけではなく、例えば、第四の実施形態に係る測定具４００と同様に、これらの手形５０３、５０４、５０５を並べて形成し、これらの手形５０３、５０４、５０５を凹面とすることも可能である。
【００６９】
以上に記載した実施形態においては、ペンチ１１１、１１２、１１３又はドライバー３１１、３１２、３１３の大きさに好適な手の大きさを測定することができるようにしているが、これらに限定されるわけではなく、その他の道具、例えば、ピンセット、鋏、レンチ、ヤットコ、ドライバー、金槌等の工具の他、包丁、ナイフ、爪切り等の切断具、鉛筆、万年筆、ボールペン等の筆記用具等についても、これらの道具の大きさに好適な手の大きさを経験則等により導き出すことにより、これらの道具を使用する際に好適な手の大きさを測定することができるようになる。
【００７０】
また、以上に記載した実施形態においては、第一の手形１０３、２０３、３０３、４０３、５０３、第二の手形１０４、２０４、３０４、４０４、５０４及び第三の手形１０５、２０５、３０５、４０５、５０５の三種類の大きさの手形を用いたが、手形の大きさは三種類に限定されるわけではなく、道具の大きさに合わせて任意の数の大きさを選択することができる。
【００７１】
なお、以上に記載した実施形態においては、ペンチ１１１、１１２、１１３のハンドルカバー１１１ｂ、１１２ｂ、１１３ｂ、又は、ドライバー３１１、３１２、３１３の把手３１１ａ、３１２ａ、３１３ａに着色を施しているが、このような態様に限定されるわけではなく、ペンチ１１１、１１２、１１３又はドライバー３１１、３１２、３１３の一部に識別するための色彩を施しておけば足りる。
【図面の簡単な説明】
【００７２】
【図１】第一の実施形態に係る測定具１００の正面。
【図２】ペンチ１１１、１１２、１１３の正面図。
【図３】第二の実施形態に係る測定具２００の正面。
【図４】第三の実施形態に係る測定具３００の斜視図。
【図５】ドライバー３１１、３１２、３１３の正面図。
【図６】第四の実施形態に係る測定具４００の斜視図。
【図７】第五の実施形態に係る測定具５００の斜視図。
【図８】図７のＸ−Ｘ線における縦断面図。
【図９】従来例である手のサイズ測定装置７００の斜視図。
【符号の説明】
【００７３】
１００、２００、３００、４００、５００  測定具
１０１、２０１、３０１、４０１、５０１  基板
１０２、２０２、３０２、４０２、５０２  表示面
１０３、２０３、３０３、４０３、５０３  第一の手形
１０４、２０４、３０４、４０４、４０４  第二の手形
１０５、２０５、３０５、４０５、５０５  第三の手形
【図１】
2006090713.tif 000003
【図２】
2006090713.tif 000004
【図３】
2006090713.tif 000005
【図４】
2006090713.tif 000006
【図５】
2006090713.tif 000007
【図６】
2006090713.tif 000008
【図７】
2006090713.tif 000009
【図８】
2006090713.tif 000010
【図９】
2006090713.tif 000011